(57)【要約】【課題】  資源の乏しい携帯端末をＰ２Ｐリアルタイムコミュニケーションに参加させることを実現する。【解決手段】  ネットワークにモバイルプロキシー装置５を接続し、携帯端末３をモバイルプロキシー装置５が代理してＰ２Ｐリアルタイムコミュニケーションに参加させる。また、コミュニケーションの場である共有空間１０はネットワークから検出して自由に選択させる。更に、モバイルプロキシー装置５とモバイルゲートウェイ装置４とを分離してモバイルプロキシー装置５を複数配置することによる負荷分散を行う。【選択図】      図１
2005266882.tif 000002
【特許請求の範囲】
【請求項１】
Ｐ２Ｐにより接続したユーザ間でネットワーク上に仮想的な共有空間を作成し、当該共有空間への利用参加によりアプリケーションを共有して相互にコミュニケーションを行う通信システムであって、
前記共有空間を利用するＰ２Ｐリアルタイムコミュニケーションシステム参加端末と共に前記ネットワークを構築するモバイルプロキシー装置を備え、モバイルゲートウェイ装置を介して前記ネットワークに接続される携帯端末に対し、前記モバイルプロキシー装置を介した前記共有空間への利用参加を許可することを特徴とする通信システム。
【請求項２】
前記モバイルプロキシー装置とモバイルゲートウェイ装置は動的にセッションを形成し、前記モバイルプロキシー装置を前記ネットワークに複数接続して成ることを特徴とする請求項１に記載の通信システム。
【請求項３】
前記モバイルプロキシー装置は、
前記携帯端末から前記モバイルゲートウェイを介して発行される前記共有空間への参加要求に基づく処理を行い、続いて発行される共有アプリケーション取得要求に対して前記携帯端末が実行可能なアプリケーションリストを送信するモバイルプロキシー部と、
前記共有空間への利用参加により前記ネットワークに接続されるＰ２Ｐリアルタイムコミュニケーションシステム参加端末と前記携帯端末間で前記アプリケーションを共有して相互のコミュニケーションを実行するリアルタイムコミュニケーション部と、
を備えることを特徴とする請求項１または２に記載の通信システム。
【請求項４】
前記モバイルプロキシー部は、
前記携帯端末から前記モバイルゲートウェイを介して発せられる前記共有空間への参加要求に基づきＰ２Ｐによるリアルタイムコミュニケーションへの参加処理を行う共有空間参加ユーザ管理部と、
前記携帯端末からの共有アプリケーション要求に対し、当該アプリケーションで定義されているクラスを前記アプリケーションの制御レコードから取得し、前記携帯端末の機種によって判別される実行可能なクラスと比較し、前記携帯端末で実行可能なアプリケーションのみをフィルタしたリストを送信する対応アプリケーションフィルタリング部と、
前記共有アプリケーションの実行時、前記携帯端末の種別を判定し、ＰＤＡの場合プッシュ型で、携帯電話の場合その情報更新の通知を保存して前記携帯電話からのポーリングを待ち前回受信時のポーリング応答との差分のみ前記モバイルゲートウェイ装置を介して送信するアプリケーション情報加工部と、
を備えたことを特徴とする請求項３に記載の通信システム。
【請求項５】
Ｐ２Ｐにより接続したユーザ間でネットワーク上に仮想的な共有空間を作成し、当該共有空間への利用参加によりアプリケーションを共有して相互にコミュニケーションを行う通信方法であって、
携帯端末からモバイルゲートウェイを介して発行される前記共有空間への参加要求に基づくプロキシー処理を行うステップと、
続いて発行される共有アプリケーション取得要求に対して前記携帯端末が実行可能なアプリケーションリストを送信するステップと、
前記共有空間への利用参加により前記ネットワークに接続されるＰ２Ｐリアルタイムコミュニケーションシステム参加端末と携帯端末間で前記アプリケーションを共有して相互のコミュニケーションを実行するステップと、
を有することを特徴とする通信方法。
【請求項６】
Ｐ２Ｐにより接続したユーザ間でネットワーク上に仮想的な共有空間を作成し、当該共有空間への利用参加によりアプリケーションを共有して相互にコミュニケーションを行う通信システムに用いられるプログラムであって、
携帯端末から携帯ゲートウェイを介して発行される前記共有空間への参加要求に基づくプロキシー処理を行う処理と、
続いて発行される共有アプリケーション取得要求に対して前記携帯端末が実行可能なアプリケーションリストを送信する処理と、
前記共有空間への利用参加により前記ネットワークに接続されるＰ２Ｐリアルタイムコミュニケーションシステム参加端末と携帯端末間で前記アプリケーションを共有して相互のコミュニケーションを実行する処理と、
をコンピュータに実行させるプログラム。
【発明の詳細な説明】
【技術分野】
【０００１】
本発明は、Ｐ２Ｐにより接続したユーザ間でネットワーク上に仮想的な共有空間を作成し、当該共有空間への利用参加によりアプリケーションを共有して相互にコミュニケーションを行う、通信システムおよび方法ならびにプログラムに関する。
【背景技術】
【０００２】
従来、ＰＣによるＰ２Ｐリアルタイムコミュニケーションが実現されている。一方、ブロードバンド時代の新しいネットワークココミュニケーション実現を目指し、各種アプリケーションの開発基盤となるフレームワーク作りを進める組織であるＳＯＢＡプロジェクト（Session Oriented Broadband Applications）があり、ＳＯＢＡフレームワークでは、ユーザ同士は互いにＰ２Ｐの通信を行う。そして、特徴となるのが、Ｐ２Ｐで接続したユーザ間で作成できる「共有空間」である。これは、例えば、ローカル上でウンドウ表示され、ここにアプリケーションをドラッグアンドドロップすることでそのアプリケーションを共有することができる（例えば、非特許文献１参照）。
【非特許文献１】Ｓｏｂａプロジェクト［２００４年３月１日検索］インターネットＵＲＬ＜ｈｔｔｐ：／／ｓｏｂａ−ｐｒｏｊｅｃｔ．ｏｒｇ／＞
【発明の開示】
【発明が解決しようとする課題】
【０００３】
Ｐ２Ｐリアルタイムコミュニケーションシステムでは、例えば、図５に示すように、システムに参加したＰＣが、ネットワーク上に仮想的な共有空間を構築し、様々なアプリケーションやカメラ画像、音声などを共有することで相互にコミュニケーションをはかっている。
しかしながら、従来システムによれば、システムに参加できる端末はＣＰＵやメモリ、回線帯域などの資源が豊富なＰＣに制限されていた。また、それぞれが同じ機能を持つ必要があり、従って、資源の乏しい携帯電話などのモバイル機器をシステムに参加させることができなかった。
【０００４】
本発明は上記事情に鑑みてなされたものであり、モバイルプロキシー装置を携帯端末の代わりにＰ２Ｐリアルタイムコミュニケーションに参加させることにより、資源の乏しい携帯端末をＰ２Ｐリアルタイムコミュニケーションに参加させることのできる通信システムおよび方法ならびにプログラムを提供することを目的とする。
【課題を解決するための手段】
【０００５】
上記した課題を解決するために本発明は、Ｐ２Ｐにより接続したユーザ間でネットワーク上に仮想的な共有空間を作成し、当該共有空間への利用参加によりアプリケーションを共有して相互にコミュニケーションを行う通信システムであって、前記共有空間を利用するＰ２Ｐリアルタイムコミュニケーションシステム参加端末と共に前記ネットワークを構築するモバイルプロキシー装置を備え、モバイルゲートウェイ装置を介して前記ネットワークに接続される携帯端末に対し、前記モバイルプロキシー装置を介した前記共有空間への利用参加を許可することを特徴とする。
【０００６】
また、本発明において、前記モバイルプロキシー装置とモバイルゲートウェイ装置は動的にセッションを形成し、前記モバイルプロキシー装置を前記ネットワークに複数接続して成ることを特徴とする。
【０００７】
また、本発明において、前記モバイルプロキシー装置は、前記携帯端末から前記モバイルゲートウェイを介して発行される前記共有空間への参加要求に基づく処理を行い、続いて発行される共有アプリケーション取得要求に対して前記携帯端末が実行可能なアプリケーションリストを送信するモバイルプロキシー部と、前記共有空間への利用参加により前記ネットワークに接続されるＰ２Ｐリアルタイムコミュニケーションシステム参加端末と前記携帯端末間で前記アプリケーションを共有して相互のコミュニケーションを実行するリアルタイムコミュニケーション部と、を備えることを特徴とする。
【０００８】
また、本発明において、前記モバイルプロキシー部は、前記携帯端末から前記モバイルゲートウェイを介して発せられる前記共有空間への参加要求に基づきＰ２Ｐによるリアルタイムコミュニケーションへの参加処理を行う共有空間参加ユーザ管理部と、前記携帯端末からの共有アプリケーション要求に対し、当該アプリケーションで定義されているクラスを前記アプリケーションの制御レコードから取得し、前記携帯端末の機種によって判別される実行可能なクラスと比較し、前記携帯端末で実行可能なアプリケーションのみをフィルタしたリストを送信する対応アプリケーションフィルタリング部と、前記共有アプリケーションの実行時、前記携帯端末の種別を判定し、ＰＤＡの場合プッシュ型で、携帯電話の場合その情報更新の通知を保存して前記携帯電話からのポーリングを前回受信時のポーリング応答との差分のみ前記モバイルゲートウェイ装置を介して送信するアプリケーション情報加工部と、を備えたことを特徴とする。
【０００９】
また、本発明は、Ｐ２Ｐにより接続したユーザ間でネットワーク上に仮想的な共有空間を作成し、当該共有空間への利用参加によりアプリケーションを共有して相互にコミュニケーションを行う通信方法であって、携帯端末からモバイルゲートウェイを介して発行される前記共有空間への参加要求に基づくプロキシー処理を行うステップと、続いて発行される共有アプリケーション取得要求に対して前記携帯端末が実行可能なアプリケーションリストを送信するステップと、前記共有空間への利用参加により前記ネットワークに接続されるＰ２Ｐリアルタイムコミュニケーションシステム参加端末と携帯端末間で前記アプリケーションを共有して相互のコミュニケーションを実行するステップと、を有することを特徴とする。
【００１０】
また、本発明は、Ｐ２Ｐにより接続したユーザ間でネットワーク上に仮想的な共有空間を作成し、当該共有空間への利用参加によりアプリケーションを共有して相互にコミュニケーションを行う通信システムに用いられるプログラムであって、携帯端末から携帯ゲートウェイを介して発行される前記共有空間への参加要求に基づくプロキシー処理を行う処理と、続いて発行される共有アプリケーション取得要求に対して前記携帯端末が実行可能なアプリケーションリストを送信する処理と、前記共有空間への利用参加により前記ネットワークに接続されるＰ２Ｐリアルタイムコミュニケーションシステム参加端末と携帯端末間で前記アプリケーションを共有して相互のコミュニケーションを実行する処理と、をコンピュータに実行させることを特徴とする。
【発明の効果】
【００１１】
本発明によれば、携帯端末をモバイルプロキシー装置が代理でＰ２Ｐリアルタイムコミュニケーションに参加させることで、あたかも携帯端末がＰ２Ｐリアルタイムコミュニケーションに参加している状態を作ることができる。従って、携帯電話やＰＤＡ等、資源の乏しい携帯端末を用い、外出先などから手軽に他の複数のＰＣ等（Ｐ２Ｐリアルタイムコミュニケーションシステムに参加）とのリアルタイムコミュニケーションを実現することが可能となる。
また、コミュニケーションの場である共有空間はネットワークから検出して自由に選択することができる。更に、モバイルプロキシー装置とモバイルゲートウェイ装置とを分離することで、モバイルプロキシー装置を複数配置することによる負荷分散が可能となる。
【発明を実施するための最良の形態】
【００１２】
図１は、本発明実施形態にかかわる通信システムの全体構成を示す図である。
図１において、符号１、２は、Ｐ２Ｐリアルタイムコミュニケーションシステム参加端末であり、本発明により付加されるモバイルプルキシー装置５と共にネットワークを構築している。また、符号２は、携帯電話やＰＤＡ等の形態端末であり、モバイルゲートウェイ装置４を介してネットワークに接続される。
【００１３】
モバイルプロキシー装置５は、Ｐ２Ｐリアルタイムコミュニケーションシステムへの参加機能と携帯電話をシステムに参加しているように見せかける機能を持ち、モバイルプロキシー部５１と、リアルタイムコミュニケーション部５２で構成される。
モバイルプロキシー部５１は、携帯端末３からモバイルゲートウェイ装置４を介して発行される共有空間への参加要求に基づく処理を行い、続いて発行される共有アプリケーション取得要求に対して携帯端末３が実行可能なアプリケーションリストを送信する機能を持つ。また、リアルタイムコミュニケーション部５２は、共有空間への利用参加によりネットワークに接続されるＰ２Ｐリアルタイムコミュニケーションシステム参加端末１、２と携帯端末３間でアプリケーションを共有して相互のコミュニケーションを実行する機能を持つ。
【００１４】
一方、モバイルゲートウェイ装置４は、携帯端末３とモバイルプロキシー装置５間のプロトコル変換を行うモバイルゲートウェイ部４１と、携帯端末３と通信を行うＨＴＴＰ（Hyper Text Transfer Protocol）サーバ部４１で構成される。
上記構成により、モバイルゲートウェイ装置４およびモバイルプロキシー装置４を介して携帯端末３からＰ２Ｐリアルタイムコミュニケーションシステムに参加することが可能となり、また、携帯端末３によって、Ｐ２Ｐリアルタイムコミュニケーションシステム参加端末１、２で共有されているアプリケーション情報の閲覧／操作や、携帯端末３により撮影されたカメラ画像の共有が可能になる。以下にその詳細を説明する。
【００１５】
図２は、本発明にかかわる通信システムのシステム構成を説明するために引用した機能ブロック図であり、ここでは、図１に示す構成の要部詳細が示されている。
図２に示されるように、モバイルプロキシー装置５のモバイルプロキシー部５１は、共有空間参加ユーザ管理部５１１と、対応アプリケーションフィルタリング部５１２と、アプリケーション加工部５１３で構成される。
【００１６】
共有空間参加ユーザ管理部５１１は、携帯端末３からモバイルゲートウェイ装置４を介して発せられる共有空間への参加要求に基づきＰ２Ｐによるリアルタイムコミュニケーションへの参加処理を行う機能を持つ。また、対応アプリケーションフィルタリング部５１２は、携帯端末３からの共有アプリケーション要求に対し、当該アプリケーションで定義されているクラスをアプリケーションの制御レコードから取得し、携帯端末３の機種によって判別される実行可能なクラスと比較し、携帯端末３で実行可能なアプリケーションのみをフィルタしたリストを送信する機能を持つ。
なお、アプリケーション加工部５１３は、共有アプリケーションの実行時、前記携帯端末の種別を判定し、ＰＤＡの場合プッシュ型で、携帯電話の場合その情報更新の通知を保存して前記携帯電話からのポーリングを待ち、前回受信時のポーリング応答との差分のみモバイルゲートウェイ装置４を介して送信する機能を持つ。
【００１７】
一方、モバイルゲートウェイ装置４は、モバイルゲートウェイ部４１とＨＴＴＰサーバ部４１で構成されることは上記したとおりであり、モバイルゲートウェイ部４１は、更に、携帯端末ユーザの個人情報を管理する携帯端末ユーザ管理部４１１、ならびにユーザ認証部４１２と、モバイルプロキシー装置５と携帯端末３間の通信径路を設定するプロキシー／携帯端末振り分け部４１３で構成される。
なお、ＨＴＴＰサーバ部４２は、携帯端末用アプリケーションリポジトリ４２１を含む。以下にその詳細を説明する。
【００１８】
図３、図４は、本発明実施形態の動作を説明するために引用した動作シーケンス図であり、共有空間１０、モバイルプロキシー装置５、モバイルゲートウェイ装置４、携帯端末３間の信号の流れが示されており、（ａ）携帯端末のＰ２Ｐリアルタイムコミュニケーションへの参加、（ｂ）アプリケーション情報の取得、（ｃ）アプリケーションの操作の各動作フェーズに区分して示されている。
以下、図３、図４を参照しながら、図１、図２に示す本発明実施形態の動作について詳細に説明する。
【００１９】
まず、携帯端末３は、携帯ゲートウェイ装置４にアクセスしてアプリケーションをダウンロードする（Ｓ３１）。続いて、携帯端末３は、モバイルゲートウェイ装置４に対して認証要求を発行し（Ｓ３２）、これを受信したモバイルゲートウェイ装置４では、ユーザ認証部４１２による携帯端末の認証を実行する（Ｓ３３）。ここで、認証が得られたときに、モバイルゲートウェイ装置４は、プロキシー／携帯端末振り分け部４１３を経由してモバイルプロキシー装置５に対して携帯端末３のユーザ登録を行う（Ｓ３４）。
携帯端末３は、続いてモバイルゲートウェイ装置４に対し、共有空間リスト取得要求を発行し（Ｓ３５）、この要求は、モバイルプロキシー装置５に伝達され、ここで共有空間リスト取得の取得処理が実行される（Ｓ３６、Ｓ３７）。このために、共有空間１０への参加要求が発行され（Ｓ３８）、モバイルゲートウェイ装置４を経由して（Ｓ３９）、モバイルプロキシー装置５に伝わる。モバイルプロキシー装置５では、共有空間参加ユーザ管理部５１１でＰ２Ｐによるリアルタイムコミュニケーションへの参加処理を実行する（Ｓ４０）。
【００２０】
次に、アプリケーション情報の取得処理について説明する。まず、携帯端末３は、モバイルゲ―トウェイ装置４経由でモバイルプロキシー装置５に対してアプリケーションリストの取得要求を発行する（Ｓ４１、Ｓ４２）。
これを受けたモバイルプロキシー装置５は、対応アプリケーションフィルタリング部５１２で、携帯端末３からのアプリケーションリストの取得要求に対し、当該アプリケーションで定義されているクラスをアプリケーションの制御レコードから取得し（Ｓ４３）、携帯端末３の機種やタイプによって判別される実行可能なクラスと比較し、携帯端末３で実行可能なアプリケーションのみをフィルタしたリストを送信する。
【００２１】
アプリケーションは、共有オプジェクトと共有オブジェクトコントローラで構成される。共有オブジェクトは、アプリケーションの状態を表し、同じ共有空間１０に参加しているＰ２Ｐリアルタイムコミュニケーション参加端末１、２は、同じ内容の共有オプジェクトを持つ。共有オプジェクトコントローラは、ユーザの状況に合わせて選択でき、選択のための情報は各アプリケーションに付属するコンテキストに記述されている。
従来、ユーザの状況とは、ユーザが持つロール（役割）であったが、本発明では、ロールに加え、端末種別によってもコントローラを選択できるようにしている。すなわち、コンテキストには、ロール、端末識別、コントローラクラス名のセットが必要数だけ記述されている。従って、携帯端末３により参加したユーザのロールと携帯端末３を示す端末識別とコントローラクラス名のセットがコンテキストに含まれているアプリケーションを、携帯電話がサポートしているアプリケーションとしてリストとして提供している。
【００２２】
このことにより携帯端末３は、自身がサポート可能なアプリケーションリストのみ提供を受けることができ、ここで、情報を取得するアプリケーションの選択操作が行われる（Ｓ４４）。そして、モバイルゲートウェイ装置４経由でモバイルプロキシー装置５に対してアプリケーション情報の取得要求を発行する（Ｓ４５、Ｓ４６）。これを受けたモバイルプロキシー装置５は、共有空間１０をアクセスしてアプリケーション情報を取得して要求のあった携帯端末３へ送信する（Ｓ４７）。
なお、ＰＤＡは、プッシュ型で情報を受け取るこができる。この場合、モバイルプロキシー装置５は、モバイルゲートウェイ装置４に対しプッシュで変更を通知し、これを受けたモバイルゲートウェイ装置４は、携帯端末３の種別を判定し、ＰＤＡならプッシュ型で、携帯電話なら通知を保存して携帯電話からのポーリングを待つ。モバイルプロキシー装置５は、前回のポーリング結果からの差分のみをモバイルゲートウェイ装置４経由で要求のあった携帯端末３へ情報を送ることができる。また、モバイルプロキシー装置５は、携帯端末３向けにアプリケーション情報を加工することができる。アプリケーション加工部５１３は、共有アプリケーションの実行時、携帯端末３からの定期的なポーリングを受信し、その情報更新につき、前回受信時のポーリング応答との差分のみモバイルゲートウェイ装置４を介して送信する。
【００２３】
最後に、アプリケーションの操作処理について説明する。まず、ユーザが携帯端末３を操作することにより、例えば、文字入力、写真撮影などの操作データの入力および、メニュー操作を行ったとする（Ｓ４８）。
上記した操作は、アプリケーションリスト操作要求として、モバイルゲートウェイ装置４経由でモバイルプロキシー装置５に伝わり（Ｓ４９、Ｓ５０）、モバイルプロキシー装置５は、共有空間１０をアクセスしてアプリケーションによる操作を反映させる（Ｓ５１）。
【００２４】
以上説明のように本発明は、携帯端末をモバイルプロキシー装置５が代理でＰ２Ｐリアルタイムコミュニケーションに参加させることで、あたかも携帯端末３がＰ２Ｐリアルタイムコミュニケーションに参加している状態を作ることができる。従って、携帯電話やＰＤＡ等、資源の乏しい携帯端末３を用い、外出先などから手軽に他の複数のＰＣ（Ｐ２Ｐリアルタイムコミュニケーションシステムに参加）等とのリアルタイムコミュニケーションを実現することが可能となる。
また、コミュニケーションの場である共有空間はネットワークから検出して自由に選択することができる。更に、モバイルプロキシー装置５とモバイルゲートウェイ装置４とを分離することで、モバイルプロキシー装置５を複数配置することによる負荷分散が可能となる。
【００２５】
なお、図１に示す、モバイルゲートウェイ部４１、ＨＴＴＰサーバ部４２、モバイルプロキシー部５１、リアルタイムコミュニケーション部５２、また、図２に示す、携帯端末ユーザ管理部４１１、ユーザ認証部４１２、プロキシー／携帯端末振り分け部４１３、携帯端末用アプリケーションリポジトリ４２１、共有空間参加ユーザ管理部５１１、対応アプリケーションフィルタリング部５１２、アプリケーション加工部５１３のそれぞれで実行される手順をコンピュータ読み取り可能な記録媒体に記録し、この記録媒体に記録されたプログラムをコンピュータシステムに読み込ませ、実行することによっても本発明の通信システムを実現することができる。ここでいうコンピュータシステムとは、ＯＳや周辺機器等のハードウェアを含む。
【００２６】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００２７】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００２８】
【図１】本発明実施形態にかかわる通信システムの基本構成を示す図である。
【図２】本発明実施形態にかかわる通信システムのシステム構成を示す図である。
【図３】本発明実施形態の動作を示す動作シーケンス図である。
【図４】本発明実施形態の動作を示す動作シーケンス図である。
【図５】従来のＰＣによるＰ２Ｐリアルタイムコミュニケーションシステムの一例を示す図である。
【符号の説明】
【００２９】
１、２…Ｐ２Ｐリアルタイムコミュニケーションシステム参加端末、３…携帯端末、４…モバイルゲートウェイ装置、５…モバイルプロキシー装置、１０…共有空間、４１…モバイルゲートウェイ部、４２…ＨＴＴＰサーバ部、５１…モバイルプロキシー部、５２…リアルタイムコミュニケーション部、４１１…携帯端末ユーザ管理部、４１２…ユーザ認証部、４１３…プロキシー／携帯端末振り分け部、４２１…携帯端末用アプリケーションリポジトリ、５１１…共有空間参加ユーザ管理部、５１２…対応アプリケーションフィルタリング部、５１３…アプリケーション加工部
【図１】
2005266882.tif 000003
【図２】
2005266882.tif 000004
【図３】
2005266882.tif 000005
【図４】
2005266882.tif 000006
【図５】
2005266882.tif 000007